(57)【要約】【課題】ＤＶＤメディア等の記録媒体のレーベル面に、その記録内容を表す画像を容易に印刷する。【解決手段】ＤＶＤレコーダ１００は、ユーザの指示を受けて動画像データを記録型のＤＶＤメディアＤＭに記録する。ＤＶＤレコーダ１００は、ＤＶＤメディアＤＭの排出時等に、この動画像データの中から静止画像をキャプチャして、内部のメモリやハードディスクドライブに記憶する。ＤＶＤメディアＤＭがＤＶＤレコーダ１００から排出されて、印刷装置２００にセットされると、ＤＶＤレコーダ１００は、記憶しておいた静止画像を印刷装置２００に送信する。印刷装置２００は、こうして受信した静止画像をＤＶＤメディアＤＭのレーベル面に印刷する。【選択図】図１
2008198313.tif 000002
【特許請求の範囲】
【請求項１】
画像の再生を行う画像再生装置と、該画像再生装置と所定の通信路によって接続され、記録媒体のレーベルに印刷を行うレーベル印刷機構を備えた印刷装置とを含む印刷システムであって、
前記画像再生装置は、
前記記録媒体に記録される画像の再生制御を行う再生制御部と、
前記記録媒体に記録される画像の少なくとも一部を含むデータを記憶する画像記憶部と、
前記印刷装置の前記通信路への接続を監視する接続監視部と、
前記印刷装置が前記通信路に接続されたことを前記接続監視部が検出した場合に、前記印刷装置に対して、前記画像記憶部に記憶した前記データを転送する画像転送部とを備え、
前記印刷装置は、
前記記録媒体が前記レーベル印刷機構にセットされたことを検出する検出部と、
前記記録媒体が前記レーベル印刷機構にセットされたことを前記検出部が検出した場合に、当該印刷装置を前記通信路に接続する接続処理部と、
前記画像再生装置から転送された前記データを受信する画像受信部と、
前記受信したデータに基づいて前記レーベル印刷機構を制御し、該レーベル印刷機構にセットされた前記記録媒体のレーベルに、前記画像を印刷する印刷制御部とを備える
印刷システム。
【請求項２】
請求項１に記載の印刷システムであって、
前記印刷装置は、更に、前記印刷の完了後に、前記画像再生装置に対して、印刷が完了した旨を通知する印刷完了通知部を備え、
前記画像再生装置は、更に、前記印刷装置から前記通知をされた場合に、前記画像記憶部から前記転送を行ったデータを削除する画像削除部を備える
印刷システム。
【請求項３】
請求項１または請求項２に記載の印刷システムであって、
前記画像再生装置は、更に、
放送波を介して動画像を表す画像信号を受信する受信部と、
前記受信した画像信号によって表される動画像を前記記録媒体に記録する記録部とを備え、
前記画像再生装置の画像記憶部は、前記画像信号によって表される動画像の一部を表す静止画像を前記データとして記憶する
印刷システム。
【請求項４】
請求項１ないし請求項３のいずれかに記載の印刷システムであって、
前記印刷装置は、更に、前記通信路に接続された他の機器に対して、該印刷装置が備える機能を通知する機能通知部を備え、
前記印刷装置は、前記接続処理部によって前記接続を行う際に、直前の接続時に備えていた機能とは異なる機能を備えた状態で前記接続を行い、
前記画像再生装置の画像転送部は、前記印刷装置が直前の接続時に備えていた機能とは異なる機能を備えた状態で前記通信路に接続されたことを前記接続監視部が検出した場合に、前記データの転送を行う
印刷システム。
【請求項５】
請求項４に記載の印刷システムであって、
前記印刷装置は、前記印刷制御部による印刷の完了後に、前記接続処理部によって、前記通信路からの切断を行い、その後、該印刷装置が備える機能を元に戻した上で、前記接続処理部によって前記通信路への再接続を行う
印刷システム。
【請求項６】
請求項１ないし請求項５のいずれかに記載の印刷システムであって、
前記所定の通信路とはネットワークであり、
前記画像再生装置と前記印刷装置とは、ユニバーサルプラグアンドプレイ規格に基づき前記ネットワークを介して接続されるものである
印刷システム。
【請求項７】
請求項１ないし請求項６のいずれかに記載の印刷システムであって、
前記通信路には、前記印刷装置が複数接続されている
印刷システム。
【請求項８】
記録媒体のレーベルに画像を印刷可能なレーベル印刷機構を備えた印刷装置に、所定の通信路を介して接続される画像再生装置であって、
前記記録媒体に記録される画像の再生制御を行う再生制御部と、
前記記録媒体に記録される画像の少なくとも一部を含むデータを記憶する画像記憶部と、
前記レーベル印刷機構に前記記録媒体がセットされたことを前記印刷装置が検出したことに応じて、該印刷装置が前記通信路への接続を行ったことを監視する接続監視部と、
前記印刷装置が前記通信路に接続されたことを前記接続監視部が検出した場合に、前記印刷装置に対して、前記画像記憶部に記憶したデータを転送する画像転送部と
を備える画像再生装置。
【請求項９】
画像を表すデータを記憶する画像再生装置と所定の通信路によって接続され、記録媒体のレーベルに印刷を行うレーベル印刷機構を備える印刷装置であって、
前記記録媒体が前記レーベル印刷機構にセットされたことを検出する検出部と、
前記記録媒体がセットされたことを前記検出部が検出した場合に、前記通信路への接続を行う接続処理部と、
当該印刷装置が前記通信路に接続されたことを前記画像再生装置が検出したことに応じて、該画像再生装置によって前記データが転送された場合に、該転送されたデータを受信する画像受信部と、
前記受信したデータに基づき前記レーベル印刷機構を制御して、該レーベル印刷機構にセットされた前記記録媒体のレーベルに、前記画像を印刷する印刷制御部と
を備える印刷装置。
【請求項１０】
画像の再生を行う画像再生装置から転送された画像を、該画像再生装置と所定の通信路によって接続され、記録媒体のレーベルに印刷を行うレーベル印刷機構を備えた印刷装置に印刷させる印刷方法であって、
前記記録媒体に記録される画像の少なくとも一部を表すデータを前記画像再生装置が記憶し、
前記印刷装置の前記レーベル印刷機構に前記記録媒体がセットされたことを検出し、
前記レーベル印刷機構に前記記録媒体がセットされたことを検出した場合に、前記印刷装置を前記通信路に接続し、
前記印刷装置の前記通信路への接続を監視し、
前記印刷装置の前記通信路への接続を検出した場合に、前記画像再生装置が記憶した前記データを前記印刷装置に転送し、
前記画像再生装置から転送されたデータを前記印刷装置によって受信し、
前記受信したデータに基づき前記印刷装置の前記レーベル印刷機構を制御して、該レーベル印刷機構にセットされた前記記録媒体のレーベルに、前記画像を印刷させる
印刷方法。
【発明の詳細な説明】
【技術分野】
【０００１】
本発明は、ＤＶＤメディア等の記録媒体のレーベル面に画像を印刷する技術に関する。
【背景技術】
【０００２】
近年、テレビ放送を受信して、記録型のＤＶＤメディアに録画を行うＤＶＤレコーダが普及している。また、近年の印刷装置は、ＤＶＤメディアのレーベル面に画像を印刷可能な機能を備えているものがある（例えば、下記特許文献１参照）。
【０００３】
【特許文献１】特開２００６−２６８３３１号公報
【０００４】
従来、ＤＶＤレコーダによってＤＶＤメディアに録画を行ったユーザは、ＤＶＤメディアにどのような番組を録画したかを記録するために種々の方法をとっていた。例えば、第１の方法としては、録画内容を表すメモを、ＤＶＤメディアのレーベル面に筆記具等で直接書き込む方法がある。この方法では、書き込まれた書体に、ユーザの筆癖が影響してしまうという問題がある。そこで、このような影響を受けない第２の方法として、上述した印刷装置とパソコンとを用いて、その録画内容を表す画像や文字をレーベル面に印刷する方法がある。しかし、ＤＶＤメディアに録画を行うたびにこのような作業を行うことは非常に煩雑な作業である。そのため、その作業の全て、もしくは一部を自動化する技術が望まれていた。
【発明の開示】
【発明が解決しようとする課題】
【０００５】
このような問題を考慮し、本発明が解決しようとする課題は、ＤＶＤメディア等の記録媒体のレーベル面に、その記録内容を表す画像を容易に印刷することにある。
【課題を解決するための手段】
【０００６】
上記課題を踏まえ、本発明の一態様である印刷システムを次のように構成した。すなわち、
画像の再生を行う画像再生装置と、該画像再生装置と所定の通信路によって接続され、記録媒体のレーベルに印刷を行うレーベル印刷機構を備えた印刷装置とを含む印刷システムであって、
前記画像再生装置は、
前記記録媒体に記録される画像の再生制御を行う再生制御部と、
前記記録媒体に記録される画像の少なくとも一部を含むデータを記憶する画像記憶部と、
前記印刷装置の前記通信路への接続を監視する接続監視部と、
前記印刷装置が前記通信路に接続されたことを前記接続監視部が検出した場合に、前記印刷装置に対して、前記画像記憶部に記憶した前記データを転送する画像転送部とを備え、
前記印刷装置は、
前記記録媒体が前記レーベル印刷機構にセットされたことを検出する検出部と、
前記記録媒体が前記レーベル印刷機構にセットされたことを前記検出部が検出した場合に、当該印刷装置を前記通信路に接続する接続処理部と、
前記画像再生装置から転送された前記データを受信する画像受信部と、
前記受信したデータに基づいて前記レーベル印刷機構を制御し、該レーベル印刷機構にセットされた前記記録媒体のレーベルに、前記画像を印刷する印刷制御部とを備えることを要旨とする。
【０００７】
本発明の印刷システムによれば、画像再生装置に画像が記憶された後に、印刷装置のレーベル印刷機構に記録媒体がセットされると、画像再生装置から印刷装置に、その画像が転送される。そのため、ユーザが、画像再生装置から記録媒体を取り出し、この記録媒体を印刷装置にセットするだけで、記録媒体に記録されている画像の少なくとも一部の画像が記録媒体のレーベルに印刷されることになる。この結果、記録媒体の管理を容易に行うことが可能になる。
【０００８】
また、本発明の印刷システムでは、記録媒体がレーベル印刷機構にセットされた際に、印刷装置は、通信路への接続を行う。画像再生装置は、この印刷装置による通信路への接続動作を監視することで、印刷装置が記録媒体のレーベルに印刷可能な状態にあることを判別することができる。このような構成であれば、通信路に複数の印刷装置が接続されていた場合であっても、画像再生装置は、画像を転送すべき印刷装置を容易に識別することが可能になる。
【０００９】
上記構成の印刷システムにおいて、前記印刷装置は、更に、前記印刷の完了後に、前記画像再生装置に対して、印刷が完了した旨を通知する印刷完了通知部を備え、前記画像再生装置は、更に、前記印刷装置から前記通知をされた場合に、前記画像記憶部から前記転送を行ったデータを削除する画像削除部を備えるものとしてもよい。
【００１０】
このような構成であれば、印刷装置によって記録媒体への画像の印刷が完了すると、自動的に、画像再生装置からその画像が削除される。そのため、画像再生装置が有する記憶部の記憶容量を節減することができる。また、印刷装置が、別の記録媒体に印刷を行う際に、既に印刷を済ませた画像を再び印刷してしまうことを防止することができる。
【００１１】
上記構成の印刷システムにおいて、前記画像再生装置は、更に、放送波を介して動画像を表す画像信号を受信する受信部と、前記受信した画像信号によって表される動画像を前記記録媒体に記録する記録部とを備え、前記画像再生装置の画像記憶部は、前記画像信号によって表される動画像の一部を表す静止画像を前記データとして記憶するものとしてもよい。
【００１２】
このような構成であれば、テレビ放送によって送信された番組を録画し、こうして録画した番組の中の一部の画像を記録媒体のレーベルに印刷することができる。
【００１３】
上記構成の印刷システムにおいて、前記印刷装置は、更に、前記通信路に接続された他の機器に対して、該印刷装置が備える機能を通知する機能通知部を備え、前記印刷装置は、前記接続処理部によって前記接続を行う際に、直前の接続時に備えていた機能とは異なる機能を備えた状態で前記接続を行い、前記画像再生装置の画像転送部は、前記印刷装置が直前の接続時に備えていた機能とは異なる機能を備えた状態で前記通信路に接続されたことを前記接続監視部が検出した場合に、前記データの転送を行うとしてもよい。
【００１４】
このような構成であれば、通信路に複数の印刷装置が接続されている場合において、略同一のタイミングで、複数の印刷装置がネットワークへの接続を行った場合であっても、画像再生装置は、印刷装置が備える機能が変化したか否かに基づき、画像データを転送すべき印刷装置を判別することができる。なお、直前の接続時とは異なる機能を備えた状態とは、印刷装置が複数の機能を備えている場合において、いずれか一つでも異なる機能に変化した状態や、印刷装置が備える機能が増減した状態も含まれる。
【００１５】
上記構成の印刷システムにおいて、前記印刷装置は、前記印刷制御部による印刷の完了後に、前記接続処理部によって、前記通信路からの切断を行い、その後、該印刷装置が備える機能を元に戻した上で、前記接続処理部によって前記通信路への再接続を行うものとしてもよい。こうすることで、印刷装置は、画像の印刷後に本来の機能を回復させることができる。
【００１６】
上記構成の印刷システムにおいて、前記所定の通信路とはネットワークであり、前記画像再生装置と前記印刷装置とは、ユニバーサルプラグアンドプレイ規格に基づき前記ネットワークを介して接続されるものとしてもよい。このような構成であれば、画像再生装置と印刷装置との接続・認証を、既存の規格に基づき容易に行うことが可能になる。
【００１７】
本発明は、以下のような態様の画像再生装置として捉えることも可能である。すなわち、
記録媒体のレーベルに画像を印刷可能なレーベル印刷機構を備えた印刷装置に、所定の通信路を介して接続される画像再生装置であって、
前記記録媒体に記録される画像の再生制御を行う再生制御部と、
前記記録媒体に記録される画像の少なくとも一部を含むデータを記憶する画像記憶部と、
前記レーベル印刷機構に前記記録媒体がセットされたことを前記印刷装置が検出したことに応じて、該印刷装置が前記通信路への接続を行ったことを監視する接続監視部と、
前記印刷装置が前記通信路に接続されたことを前記接続監視部が検出した場合に、前記印刷装置に対して、前記画像記憶部に記憶したデータを転送する画像転送部と
を備える画像再生装置である。
【００１８】
また、本発明は、以下のような態様の印刷装置として捉えることもできる。すなわち、
画像を表すデータを記憶する画像再生装置と所定の通信路によって接続され、記録媒体のレーベルに印刷を行うレーベル印刷機構を備える印刷装置であって、
前記記録媒体が前記レーベル印刷機構にセットされたことを検出する検出部と、
前記記録媒体がセットされたことを前記検出部が検出した場合に、前記通信路への接続を行う接続処理部と、
当該印刷装置が前記通信路に接続されたことを前記画像再生装置が検出したことに応じて、該画像再生装置によって前記データが転送された場合に、該転送されたデータを受信する画像受信部と、
前記受信したデータに基づき前記レーベル印刷機構を制御して、該レーベル印刷機構にセットされた前記記録媒体のレーベルに、前記画像を印刷する印刷制御部と
を備える印刷装置である。
【００１９】
このように、本発明を、画像再生装置や印刷装置として捉えたとしても、上述した印刷システムと同様の作用・効果を得ることができる。
【００２０】
なお、本発明は、上述した印刷システムや画像再生装置、印刷装置としての構成のほか、印刷システムや各装置における印刷方法、あるいは、コンピュータプログラムとしても構成することができる。コンピュータプログラムは、コンピュータが読取可能な記録媒体に記録されていてもよい。記録媒体としては、例えば、フレキシブルディスクやＣＤ−ＲＯＭ、ＤＶＤ−ＲＯＭ、光磁気ディスク、メモリカード、ハードディスク等の種々の媒体を利用することができる。
【発明を実施するための最良の形態】
【００２１】
以下、上述した本発明の作用・効果を一層明らかにするため、本発明の実施の形態を実施例に基づき次の順序で説明する。
Ａ．第１実施例：
（Ａ１）印刷システムの構成：
（Ａ２）ＤＶＤレコーダの構成：
（Ａ３）印刷装置の構成：
（Ａ４）印刷処理：
Ｂ．第２実施例：
Ｃ．変形例：
【００２２】
Ａ．第１実施例：
（Ａ１）印刷システムの構成：
図１は、第１実施例としての印刷システム１０の概略構成を示す説明図である。本実施例の印刷システム１０は、動画像の再生や録画を行うことのできるＤＶＤレコーダ１００と、印刷装置２００ａ，２００ｂとがネットワーク１５０を介して接続されることにより構成される。ＤＶＤレコーダ１００には、モニタ３００が接続されている。印刷装置２００ａと印刷装置２００ｂとは、同一の内部構成であるため、以下では、これらをまとめて印刷装置２００と記載する。なお、印刷装置２００は、ネットワーク１５０に３台以上接続されていても構わない。
【００２３】
図１には、ＤＶＤレコーダ１００や印刷装置２００以外に、ネットワーク１５０に対して、動画データや静止画像データを記憶するネットワークストレージ装置４００や、動画像を再生可能なパーソナルコンピュータ５００が接続されている様子を示している。
【００２４】
上述した各装置（デバイス）は、ＤＬＮＡ(Digital Living Network Alliance)という団体が策定したＤＬＮＡガイドラインに準拠して構成された装置である。ＤＬＮＡガイドラインでは、ネットワーク１５０を介した各機器の接続・認証がＵＰｎＰ（ユニバーサルプラグアンドプレイ）規格に基づき行われるため、どの装置も、ネットワーク１５０につなぐだけでＩＰアドレス等の設定がなされて利用可能になる。
【００２５】
ＤＬＮＡガイドラインでは、ＤＭＳ(デジタルメディアサーバ)、ＤＭＰ(デジタルメディアプレーヤー)、ＤＭＰｒ（デジタルメディアプリンタ）と呼ばれる装置が規定されている。ＤＭＳとは、動画像や静止画像、音声等のコンテンツを記録・蓄積・提供する装置である。ＤＭＰとは、これらのコンテンツを受信して再生する装置である。また、ＤＭＰｒとは、ＤＭＳあるいはＤＭＰから指示されたコンテンツの印刷を行う装置である。
【００２６】
図１に示した装置のうち、ＤＭＳに該当するものは、動画像データ等を記憶するＤＶＤレコーダ１００とネットワークストレージ装置４００である。また、ＤＭＰに該当するものはパーソナルコンピュータ５００である。また、ＤＭＰｒに該当するものは印刷装置２００である。ＤＬＮＡガイドラインでは、ＤＭＳとＤＭＰとＤＭＰｒとは１台の装置の中に複数共存することを容認している。そのため、例えば、ＤＶＤレコーダ１００は、ＤＭＳの機能とともにＤＭＰの機能を備えることができ、印刷装置２００は、ＤＭＰｒの機能とともにＤＭＳやＤＭＰの機能を備えることができる。
【００２７】
ここで、本実施例の印刷システム１０の動作について簡単に説明する。本実施例の印刷システム１０では、最初に、ＤＶＤレコーダ１００がユーザの指示を受けて動画像データを記録型のＤＶＤメディアＤＭに記録する。ＤＶＤレコーダ１００は、ＤＶＤメディアＤＭの排出時等に、この動画像データの中から静止画像をキャプチャして、内部のメモリ（あるいはハードディスクドライブ）に記憶する。ＤＶＤメディアＤＭがＤＶＤレコーダ１００から排出されて、印刷装置２００にセットされると、ＤＶＤレコーダ１００は、記憶しておいた静止画像を印刷装置２００に送信する。そして、印刷装置２００は、受信した静止画像をＤＶＤメディアＤＭのレーベル面に印刷する。つまり、本実施例の印刷システム１０では、ＤＶＤレコーダ１００によってＤＶＤメディアＤＭに記録される動画像の内容を表す静止画像を、印刷装置２００によって自動的にレーベル面に印刷することができるのである。
【００２８】
（Ａ２）ＤＶＤレコーダの構成：
図２は、ＤＭＳとして動作するＤＶＤレコーダ１００の内部構成を示すブロック図である。図示するように、本実施例のＤＶＤレコーダ１００は、チューナ１０２と、復調器１０４と、操作部１０６と、制御ユニット１１０と、表示制御回路１２０と、ＤＶＤドライブ１２２と、ハードディスクドライブ１２４と、ネットワークインタフェース１２６とを備えている。
【００２９】
チューナ１０２は、テレビ放送を受信する装置である。復調器１０４は、チューナ１０２によって受信した放送波を復調する装置である。本実施例では、チューナ１０２は、デジタル放送によって変調されたデジタル信号を受信する回路によって構成されている。一方、復調器１０４は、このデジタル信号を、ＭＰＥＧ２形式の動画像データに復調する回路によって構成されている。むろん、チューナ１０２は、アナログ放送を受信するものとしてもよい。また、復調器１０４は、ＭＰＥＧ１やＭＰＥＧ４など、ＭＰＥＧ２形式以外の形式でデジタル信号を復調するものとしてもよい。
【００３０】
操作部１０６は、ＤＶＤレコーダ１００に対する再生や録画の指示をユーザから受けるためのスイッチ群によって構成される。このスイッチ群は、リモートコントローラに設けられていてもよい。
【００３１】
表示制御回路１２０は、ＤＶＤレコーダ１００に接続されたモニタ３００に対して、動画像や静止画像、グラフィカルユーザインタフェース等の表示を行う回路である。ＤＶＤレコーダ１００とモニタ３００とは、例えば、コンポーネントケーブルやＨＤＭＩ(High-Definition Multimedia Interface)ケーブルによって接続される。
【００３２】
ＤＶＤドライブ１２２は、ＤＶＤメディアＤＭからのデータの読み込みや、ＤＶＤメディアＤＭに対するデータの書き込みを行う装置である。ＤＶＤメディアＤＭには、種々の規格が存在するが、例えば、ＤＶＤドライブ１２２は、ＤＶＤ−Ｒや、ＤＶＤ−ＲＷ、ＤＶＤ＋Ｒ、ＤＶＤ＋ＲＷ、ＤＶＤ−ＲＡＭ、ＤＶＤ−ＲＯＭ等のメディアに対して書き込みおよび読み出しを行うことができる（ただし、ＤＶＤ−ＲＯＭは読み出しのみ可能）。勿論、ＤＶＤドライブ１２２は、ここに挙げたメディア以外にも、例えば、ＣＤ−ＲやＣＤ−ＲＷ、次世代記録メディアであるＨＤ  ＤＶＤ規格やＢｌｕ−ｒａｙ規格に基づくメディアに対しても、データの読み書きが行えるものとしてもよい。
【００３３】
ハードディスクドライブ１２４は、復調器１０４によって復調された動画像データや、この動画像データからキャプチャされた静止画像データを記憶する大容量の記録媒体である。本実施例では、ハードディスクドライブ１２４は、４００ギガバイトの記憶容量を有している。もちろん、ハードディスクドライブ１２４は、それ以外の記憶容量を有していてもよい。
【００３４】
ネットワークインタフェース１２６は、ネットワーク１５０に対する通信制御を行う回路によって構成されている。ネットワークインタフェース１２６は、ＯＳＩ参照モデルの物理層とデータリンク層における通信制御を行う。
【００３５】
制御ユニット１１０は、ＤＶＤレコーダ１００の動作を統括管理するユニットであり、ＣＰＵやＲＯＭ、ＲＡＭによって構成されている。ＣＰＵは、ＲＡＭをワークエリアとしてＲＯＭに記録されたファームウェアを実行することで、図中に示した再生制御部１１１と録画制御部１１２と静止画保存部１１３とＵＰｎＰ処理部１１４とをソフトウェア的に実現する。
【００３６】
再生制御部１１１は、ＤＶＤメディアＤＭやハードディスクドライブ１２４に記録された動画像データを再生する機能を備えている。これらの媒体に記録された動画像データは、公知の種々のコーデックによってエンコードがなされている。そのため、再生制御部１１１は、ＤＶＤメディアＤＭやハードディスクドライブ１２４から動画像データを読み出し、上記のコーデックに対応したデコードを行いつつ再生を行う。
【００３７】
録画制御部１１２は、復調器１０４によって復調された動画像データを、ハードディスクドライブ１２４もしくはＤＶＤメディアＤＭに記録する機能部である。録画制御部１１２は、いわゆる電子番組表を用いた予約録画を行う機能を備えている。
【００３８】
静止画保存部１１３は、ＤＶＤメディアＤＭあるいはハードディスクドライブ１２４に記録された動画像データから静止画像をキャプチャし、これをハードディスクドライブ１２４に保存する機能を有する。キャプチャする静止画像は、例えば、動画像データの再生開始から、予め定めた時間経過後（例えば、１５秒後）のフレームとすることができる。また、静止画保存部１１３は、ＤＶＤメディアＤＭあるいはハードディスクドライブ１２４に記録された動画像データの再生中に、ユーザが操作部１０６を用いて指示した時点の画像をキャプチャしてもよい。
【００３９】
動画像データからキャプチャする静止画像の枚数は、ユーザが操作部１０６を用いて任意に設定することができる。複数枚キャプチャする場合には、例えば、動画像データの先頭から１５秒間隔で、指定された枚数だけキャプチャするものとすることができる。また、動画像データに複数のチャプタが設定されている場合には、各チャプタの先頭から所定時間後のフレームをキャプチャするものとすることができる。このときの静止画像の枚数は、チャプタの数と同数になる。
【００４０】
ＵＰｎＰ処理部１１４は、ＵＰｎＰ規格に基づく種々の機能を実現する機能部である。ＵＰｎＰ規格に定められている機能としては、例えば、以下のような機能がある。
（１）ＤＨＣＰ(Dynamic Host Configuration Protocol)やＡｕｔｏＩＰによって自己のＩＰアドレスを設定するアドレッシング機能。
（２）ＳＳＤＰ(Simple Service Discovery Protocol)や、ＧＥＮＡ(Generic Event Notification Architecture)を用いてネットワークに接続されたデバイスを検出するディスカバリ機能。
（３）ディスカバリ機能によって検出したデバイスから、そのデバイスの詳細な情報をＸＭＬ形式のデータで取得するディスクリプション機能。
（４）ディスクリプション機能によって詳細情報を取得したデバイスをＳＯＡＰ(Simple Object Access Protocol)によって制御するコントロール機能。
【００４１】
ＵＰｎＰ処理部１１４は、コントロールポイント１１５と呼ばれるモジュールを備えている。コントロールポイント１１５は、上述したディスカバリ機能によって検出したデバイス（例えば、ＤＭＳ、ＤＭＰ、ＤＭＰｒ）の管理および制御を行うモジュールである。コントロールポイント１１５は、例えば、他のデバイスからデータの転送を受けたり、他のデバイスにデータを転送したりすることができる。ＵＰｎＰ規格では、ＤＭＰｒを制御するコントロールポイントのことを、特に、プリンティングコントローラと呼ぶ場合がある。
【００４２】
コントロールポイント１１５は、接続監視モジュール１１６と画像転送モジュール１１７と画像消去モジュール１１８とを備えている。
【００４３】
接続監視モジュール１１６は、上記ディスカバリ機能によって、他のデバイスのネットワーク１５０への接続や切断を監視するモジュールである。ＵＰｎＰ規格に対応するデバイスは、ネットワーク１５０に接続されると、自分自身のデバイスタイプ（例えば、ＤＭＳ、ＤＭＰ、ＤＭＰｒ）や、サポートするサービス、そのデバイスの有効期限を示すタイプスタンプなどを他のデバイスに公告する機能を備えている。また、ネットワーク１５０との接続を切断する際に、「Ｇｏｏｄｂｙｅ」メッセージを送信する機能を備えている。接続監視モジュール１１６は、こうして他のデバイスから送信された情報を受信することで、他のデバイスのネットワーク１５０への接続や切断を監視することができる。
【００４４】
画像転送モジュール１１７は、他のデバイスに対して、ハードディスクドライブ１２４から静止画像データを読み出して転送するモジュールである。
【００４５】
画像削除モジュール１１８は、ハードディスクドライブ１２４に記憶した静止画像データを削除するモジュールである。
【００４６】
（Ａ３）印刷装置の構成：
図３は、ＤＭＰｒとして動作する印刷装置２００の内部構成を示すブロック図である。図示するように、本実施例の印刷装置２００は、ネットワークインタフェース２１０と、印刷機構２２０と、制御ユニット２４０とを備えている。
【００４７】
ネットワークインタフェース２１０は、ネットワーク１５０に対する通信制御を行う回路によって構成されている。
【００４８】
印刷機構２２０は、制御ユニット２４０からの指示を受けて、ＤＶＤメディアＤＭや印刷用紙に対して文字や画像を印刷する機構である。以下では、ＤＶＤメディアＤＭや印刷用紙などの印刷の対象となる媒体のことを、「印刷媒体」と呼ぶ。印刷機構２２０は、印刷媒体がセットされる印刷トレイや、インクが貯蔵されたインクタンク、インクタンクから印刷媒体にインクを吐出するインクヘッド、印刷媒体を印刷方向に搬送する搬送機構等によって構成されている。
【００４９】
印刷機構２２０は、メディア検出部２２５を備えている。メディア検出部２２５は、印刷トレイにセットされた印刷媒体がＤＶＤメディアであるか印刷用紙であるかを検出する回路によって構成されている。また、メディア検出部２２５は、印刷トレイにセットされた印刷媒体がＤＶＤメディアである場合に、そのレーベル面が、白色であるかを検出する回路も備えている。メディア検出部２２５は、印刷媒体の形状を検出するセンサとして、例えば、所定の位置に印刷媒体が存在するか否かを検出する反射型フォトセンサを用いることができる。また、レーベル面の色を検出するセンサとしては、赤、青、緑の３原色をそれぞれ発光する発光ダイオードによってＤＶＤメディアＤＭのレーベル面を照射し、その反射光の色成分を解析して色を判別する色センサを用いることができる。
【００５０】
制御ユニット２４０は、印刷装置２００の動作を統括管理するユニットであり、ＣＰＵやＲＯＭ、ＲＡＭによって構成されている。ＣＰＵは、ＲＡＭをワークエリアとしてＲＯＭに記録されたファームウェアを実行することで、図中に示した印刷制御部２４１と接続処理部２４２とＵＰｎＰ処理部２４３とをソフトウェア的に実現する。
【００５１】
印刷制御部２４１は、印刷機構２２０を制御して、印刷媒体に画像や文字を印刷する機能部である。接続処理部２４２は、印刷装置２００のネットワーク１５０への接続と切断を制御する機能部である。ＵＰｎＰ処理部２４３は、上述したＤＶＤレコーダ１００のＵＰｎＰ処理部１１４と同様に、ＵＰｎＰ規格に基づく種々の機能を実現する機能部である。
【００５２】
ＵＰｎＰ処理部２４３は、画像受信モジュール２４４と印刷完了通知モジュール２４５とを備えている。画像受信モジュール２４４は、他のデバイス（本実施例では、ＤＶＤレコーダ１００）から転送された静止画像データを受信するモジュールである。印刷完了通知モジュール２４５は、印刷制御部２４１によって印刷が完了したことを、他のデバイスに通知するモジュールである。
【００５３】
（Ａ４）印刷処理：
図４は、印刷システム１０において実行される印刷処理のフローチャートである。図４（ａ）には、ＤＶＤレコーダ１００側で実行される処理を表し、図４（ｂ）には、印刷装置２００側で実行される処理を表している。この印刷処理は、ＤＶＤレコーダ１００と印刷装置２００とにおいて常時ループして実行される処理である。この印刷処理が実行される前提として、ＤＶＤレコーダ１００と印刷装置２００とは、上述したアドレッシング機能やディスカバリ機能、ディスクリプション機能によって接続・認証が行われ、相互に通信可能であるものとする。また、ＤＶＤレコーダ１００のＤＶＤドライブ１２２には、ＤＶＤメディアＤＭがセットされているものとする。
【００５４】
この印刷処理が開始されると、まず、ＤＶＤレコーダ１００の制御ユニット１１０は、ユーザが操作部１０６を用いてＤＶＤメディアＤＭの排出操作を行ったかを判断する（ステップＳ１０００）。ＤＶＤメディアＤＭの排出操作がなされた場合には（ステップＳ１０００：Ｙｅｓ）、制御ユニット１１０は、静止画保存部１１３によって、ＤＶＤメディアＤＭに記録された動画像データから静止画像データをキャプチャしてハードディスクドライブ１２４に記憶する（ステップＳ１０１０）。このとき、ＤＶＤメディアＤＭに記録された動画像データと同一のデータがハードディスクドライブ１２４に記憶されていれば、制御ユニット１１０は、ハードディスクドライブ１２４に記憶された動画像データを用いて静止画像データをキャプチャするものとしてもよい。上記ステップＳ１０００において、ＤＶＤメディアＤＭの排出操作がなされていないと判断した場合には（ステップＳ１０００：Ｎｏ）、制御ユニット１１０は、当該印刷処理を終了する。
【００５５】
上記ステップＳ１０１０によって、静止画像データをハードディスクドライブ１２４に記憶すると、ＤＶＤレコーダ１００の制御ユニット１１０は、上記ステップＳ１０００におけるユーザの指示に従い、ＤＶＤメディアＤＭをＤＶＤドライブ１２２から排出する（ステップＳ１０２０）。
【００５６】
印刷装置２００の制御ユニット２４０は、当該印刷処理が開始されると、まず、メディア検出部２２５を用いて、印刷トレイにＤＶＤメディアＤＭがセットされたかを判断する（ステップＳ２０００）。ＤＶＤメディアＤＭがセットされれば（ステップＳ２０００：Ｙｅｓ）、制御ユニット２４０は、更に、そのレーベル面が白色かを判断する（ステップＳ２０１０）。印刷トレイにセットされた印刷媒体がＤＶＤメディアＤＭでない場合（ステップＳ２０００：Ｎｏ）や、ＤＶＤメディアＤＭのレーベル面が白色ではない場合（ステップＳ２０１０：Ｎｏ）には、当該印刷処理を終了する。
【００５７】
レーベル面が白色のＤＶＤメディアＤＭがセットされれば（ステップＳ２０１０：Ｙｅｓ）、印刷装置２００の制御ユニット２４０は、接続処理部２４２を用いて、印刷装置２００をネットワーク１５０から切断する（ステップＳ２０２０）。ネットワーク１５０からの切断時には、印刷装置２００のＵＰｎＰ処理部２４３は、ＵＰｎＰ規格に基づき、「Ｇｏｏｄｂｙｅ」メッセージを他のデバイスに送信する。ＤＶＤレコーダ１００のコントロールポイント１１５は、このメッセージを受けて、自分が管理しているデバイスのリストの中から、印刷装置２００を削除する。
【００５８】
印刷装置２００の制御ユニット２４０は、ネットワーク１５０との接続を切断した後、所定の期間経過した後に、接続処理部２４２を用いて、ネットワーク１５０への再接続を行う（ステップＳ２０３０）。所定の期間としては、例えば、２〜５秒程度とすることができる。印刷装置２００は、ネットワーク１５０への再接続を行うと、ＵＰｎＰ規格に基づき、自分自身のデバイスタイプやサポートするサービスを他のデバイスに公告（Ｎｏｔｉｆｙ）する。ＤＶＤレコーダ１００のコントロールポイント１１５は、この公告を受信すると、自分が管理しているデバイスのリストの中に、印刷装置２００を再び加える。
【００５９】
ＤＶＤレコーダ１００の制御ユニット１１０は、上記ステップＳ１０２０によってＤＶＤメディアＤＭを排出した後、接続監視モジュール１１６を用いて、所定の期間内にネットワークへの切断と再接続とが行われたＤＭＰｒ機能を備えるデバイス（以下、「再接続印刷装置」という）が存在するかを判断する（ステップＳ１０３０）。具体的には、同一のＩＰアドレスもしくはＭＡＣアドレスが付され、「Ｇｏｏｄｂｙｅ」メッセージを送信した後に、デバイスタイプがＤＭＰｒであると公告したデバイスを検出した場合に、ネットワークへの切断と再接続とが行われた再接続印刷装置が存在すると判断することができる。ネットワーク１５０への切断と再接続を検出する期間は、例えば、１０秒程度とすることができる。
【００６０】
上記ステップＳ１０３０において、再接続印刷装置が存在すると判断した場合には（ステップＳ１０３０：Ｙｅｓ）、ＤＶＤレコーダ１００の制御ユニット１１０は、上記ステップＳ１０１０で記憶しておいた静止画像データを、当該再接続印刷装置に送信する（ステップＳ１０４０）。本実施例では、印刷装置２００ａと印刷装置２００ｂのうち、ＤＶＤメディアＤＭがセットされたいずれかの印刷装置２００に静止画像データを送信することになる。上記ステップＳ１０３０において、再接続印刷装置の存在を確認できなかった場合には（ステップＳ１０３０：Ｎｏ）、制御ユニット１１０は当該印刷処理を終了する。
【００６１】
印刷装置２００の制御ユニット２４０は、上記ステップＳ２０３０によってネットワーク１５０への再接続を行った後に、画像受信モジュール２４４を用いて、他のデバイスから静止画像データを受信したかを判断する（ステップＳ２０４０）。静止画像データを受信した場合には（ステップＳ２０４０：Ｙｅｓ）、制御ユニット２４０は、受信した静止画像データを、印刷制御部２４１を用いて、上記ステップＳ２０００でセットされたＤＶＤメディアＤＭのレーベル面に印刷する（ステップＳ２０５０）。複数の静止画像データを受信した場合には、制御ユニット２４０は、ＤＶＤメディアＤＭのレーベル面上に、その複数の静止画像データを所定のレイアウトで配置して印刷する。上記ステップＳ２０４０において、所定のタイムアウト期間内に、静止画像データが受信されなかった場合には（ステップＳ２０４０：Ｎｏ）、制御ユニット２４０は、当該印刷処理を終了する。
【００６２】
なお、ＤＶＤレコーダ１００は、上記ステップＳ１０４０において印刷装置２００に送信する静止画像データに所定の命名規則でファイル名を付すものとし、印刷装置２００は、そのファイル名以外のファイル名の付された静止画像データの受信を拒否するものとしてもよい。こうすることにより、印刷装置２００が誤った画像を印刷してしまうことを防止することができる。
【００６３】
印刷装置２００の制御ユニット２４０は、上記ステップＳ２０５０によってＤＶＤメディアＤＭのレーベル面への印刷が完了すると、印刷完了通知モジュール２４５を用いて、静止画像データの送信元であるＤＶＤレコーダ１００に対して、印刷完了通知を送信する（ステップＳ２０６０）。
【００６４】
ＤＶＤレコーダ１００の制御ユニット１１０は、上記ステップＳ１０４０によって印刷装置２００に静止画像データを転送した後、所定のタイムアウト期間内に印刷装置２００から印刷完了通知を受信したかを判断する（ステップＳ１０５０）。このタイムアウト期間としては、ＤＶＤメディアＤＭへの印刷時間を考慮し、例えば、１０〜２０分とすることができる。このタイムアウト期間内に印刷完了通知を受信しなかった場合には（ステップＳ１０５０：Ｎｏ）、制御ユニット１１０は、当該印刷処理を終了する。一方、タイムアウト期間内に印刷完了通知を受信した場合には（ステップＳ１０５０：Ｙｅｓ）、制御ユニット１１０は、印刷装置２００に送信した静止画像データを、ハードディスクドライブ１２４から削除する（ステップＳ１０６０）。このように、既に印刷が終了した静止画像データをハードディスクドライブ１２４から削除すれば、ＤＶＤレコーダ１００は、ハードディスクドライブ１２４の記憶容量を節減することができる。また、こうすることで、印刷装置２００が、別の記録媒体に印刷を行う際に、既に印刷を済ませた画像を再び印刷してしまうことを防止することができる。上述した一連の処理により、印刷システム１０で実行される印刷処理は終了する。
【００６５】
以上で説明した本実施例の印刷システム１０によれば、ＤＶＤレコーダ１００は、ＤＶＤメディアＤＭを排出する際に、ＤＶＤメディアＤＭに記録した動画像データから静止画像データをキャプチャし、この静止画像データを一時的にハードディスクドライブ１２４に記憶する。ユーザによって、このＤＶＤメディアＤＭが印刷装置２００にセットされると、印刷装置２００は、ネットワーク１５０への切断と再接続を行う。ＤＶＤレコーダ１００は、この印刷装置２００によるネットワークへの切断と再接続とを検出すると、印刷装置２００に、ハードディスクドライブ１２４に記憶しておいた静止画像データを送信する。こうして、静止画像データがＤＶＤレコーダ１００から印刷装置２００に送信されれば、印刷装置２００によって、その静止画像が印刷トレイにセットされたＤＶＤメディアＤＭのレーベル面に印刷される。従って、ユーザが、ＤＶＤレコーダ１００からＤＶＤメディアＤＭを取り出して、印刷装置２００にセットするという行為を行うだけで、自動的に、ＤＶＤメディアＤＭに、録画内容を表す画像が印刷されることになる。この結果、ユーザが自分でＤＶＤメディアＤＭのレーベル面に録画内容を筆記具等で記録する必要がなくなり、ＤＶＤメディアＤＭを容易に管理することが容易になる。
【００６６】
また、本実施例では、ＤＶＤレコーダ１００は、印刷装置２００のネットワーク１５０への接続状態を監視するだけで、静止画像データを転送する送信先を容易に識別することができる。そのため、本実施例によれば、印刷装置２００が他のデバイスを制御可能なコントロールポイントを備えていない場合であっても、ＤＶＤレコーダ１００に対して、静止画像データの送信先を適切に知らせることが可能になる。この結果、印刷装置２００の構成を簡略することが可能になる。
【００６７】
Ｂ．第２実施例：
上述した第１実施例では、印刷装置２００が、ＤＭＰｒの機能のみを備える構成とした。これに対して、本実施例では、印刷装置２００は、ＤＭＰｒの機能に加えて、ＤＭＳの機能を備えるものとする。つまり、本実施例の印刷装置２００は、印刷機能以外に、制御ユニット２４０内のＲＡＭ等に動画像データや静止画像データ等のコンテンツデータを蓄積し、これらのデータを、他のデバイスに配信する機能を備えているものとする。
【００６８】
図５は、第２実施例における印刷処理のフローチャートである。この処理は、図４に示した印刷処理に代えて、印刷システム１０が実行する処理である。以下では、図４での説明と重複する部分は、同じステップ番号を用いるものとし、説明は原則として省略する。
【００６９】
この処理が開始されると、ＤＶＤレコーダ１００は、ＤＶＤメディアＤＭの排出に先立って、静止画像をキャプチャし、これをハードディスクドライブ１２４に記憶する（ステップＳ１０００〜Ｓ１０２０）。
【００７０】
印刷装置２００は、レーベル面が白色のＤＶＤメディアＤＭのセットを検出すると（ステップＳ２０００，Ｓ２０１０）、ネットワーク１５０への切断を行う（ステップＳ２０２０）。そして、印刷装置２００は、ＤＭＳの機能を停止した上で、ネットワーク１５０への再接続を行う（ステップＳ２０３０ｂ）。
【００７１】
ＤＶＤレコーダ１００は、第１実施例と同様の手法により再接続印刷装置を検出すると（ステップＳ１０３０）、検出した再接続印刷装置が、ＤＭＳの機能を停止しているかを判断する（ステップＳ１０３２ｂ）。ＤＭＳの機能が停止しているか否かは、ＤＶＤレコーダ１００のコントロールポイント１１５が管理するデバイスリストの履歴を参照することで判断することができる。すなわち、再接続印刷装置が、以前の接続時に、ＤＭＳの機能を有すると公告していたにもかかわらず、再接続後に、ＤＭＳの機能を有しないと公告していれば、ＤＭＳの機能を停止していると判断することができる。
【００７２】
ＤＶＤレコーダ１００は、上記ステップＳ１０３２ｂにおいて、再接続印刷装置がＤＭＳの機能を停止していないと判断した場合には（ステップＳ１０３２ｂ：Ｎｏ）、その再接続印刷装置は、ＤＶＤメディアＤＭがセットされた印刷装置２００ではないと認識することができる。そのため、ＤＶＤレコーダ１００は、モニタ３００あるいは、ＤＶＤレコーダ１００が備える表示部に、その再接続印刷装置を用いて印刷を行うかを確認する画面を表示し、ユーザによる指示を受ける（ステップＳ１０３４ｂ）。ＤＶＤレコーダ１００は、操作部１０６によってユーザから印刷するとの指示を受けた場合には（ステップＳ１０３６ｂ：Ｙｅｓ）、ＤＶＤメディアＤＭのセットされていない再接続印刷装置に対して、静止画像データを送信する（ステップＳ１０４０）。この静止画像データを受信した再接続印刷装置は、この画像を、印刷用紙等に印刷することができる。これに対して、ユーザから印刷しないとの指示を受けた場合には（ステップＳ１０３６ｂ：Ｎｏ）、当該印刷処理を終了する。このとき、印刷ができなかった旨の所定のエラーメッセージを表示するものとしてもよい。
【００７３】
ＤＶＤレコーダ１００は、上記ステップＳ１０３２ｂにおいて、再接続印刷装置がＤＭＳの機能を停止していると判断した場合には（ステップＳ１０３２ｂ：Ｙｅｓ）、その再接続印刷装置は、ＤＶＤメディアＤＭがセットされた印刷装置２００であると認識することができる。そのため、ＤＶＤレコーダ１００は、ユーザに問い合わせを行うことなく、その再接続印刷装置に対して、ハードディスクドライブ１２４に記憶しておいた静止画像データを送信する（ステップＳ１０４０）。ＤＶＤレコーダ１００は、静止画像データの送信後に、再接続印刷装置から印刷完了通知を受信すれば（ステップＳ１０５０）、ハードディスクドライブ１２４からその静止画像データを削除する（ステップＳ１０６０）。
【００７４】
印刷装置２００は、上記ステップＳ２０３０ｂによってＤＭＳの機能を停止しつつネットワークへの再接続を行った後、ＤＶＤレコーダ１００から静止画像データを受信すると（ステップＳ２０４０：Ｙｅｓ）、受信した静止画像データを、印刷トレイにセットされたＤＶＤメディアＤＭのレーベル面に印刷する（ステップＳ２０５０）。そして、静止画像データの送信元であるＤＶＤレコーダ１００に対して、印刷完了通知を送信する（ステップＳ２０６０）。
【００７５】
印刷完了通知を送信した後、印刷装置２００は、再び、ネットワーク１５０との接続を切断する（ステップＳ２０７０ｂ）。そして、上記ステップＳ２０３０ｂで停止させたＤＭＳの機能を再び回復させて、ネットワーク１５０への再接続を行う（ステップＳ２０８０ｂ）。こうすることで、再び、ＤＭＳ機能を有する印刷装置２００として動作することが可能になる。なお、上記ステップＳ２０４０において、印刷装置２００が、ＤＶＤレコーダ１００から所定の時間内に静止画像データを受信できなかった場合には（ステップＳ２０４０：Ｎｏ）、印刷装置２００は、上記ステップＳ２０５０およびステップＳ２０６０の処理をスキップし、上記ステップＳ２０７０ｂに処理を移行する。こうすることで、印刷装置２００は、静止画像データを受信できなかった場合においても、ＤＭＳの機能を回復させることができる。
【００７６】
以上で説明した第２実施例によれば、ネットワーク１５０に接続されている２以上の印刷装置２００が、ほぼ同時にネットワーク１５０との切断および再接続を行った場合であっても、ＤＶＤレコーダ１００は、これらの印刷装置２００のＤＭＳ機能の有無を判断することによって、ＤＶＤメディアＤＭのセットされた印刷装置２００を的確に判断することができる。そのため、静止画像データが、意図しない印刷装置２００によって印刷されてしまうことを効果的に抑制することが可能になる。
【００７７】
なお、本実施例では、印刷装置２００はＤＭＳの機能を備えるものとしたが、ＤＭＰの機能を備えているものとしてもよい。この場合、印刷装置２００は、上記印刷処理のステップＳ２０３０ｂにおいて、ＤＭＰの機能を停止してネットワーク１５０への再接続を行う。そして、ＤＶＤレコーダ１００は、上記ステップＳ１０３２ｂにおいて、再接続印刷装置がＤＭＰ機能を有しているかを判断する。こうすることにより、ＤＶＤレコーダ１００は、印刷装置２００のＤＭＰ機能の有無によって、静止画像データの送信先を適切に判断することが可能になる。また、印刷装置２００は、複数の機能を備え、これらの機能の一部を変更したり、機能の数を増減したりしてネットワーク１５０に再接続するものとしてもよい。この場合、ＤＶＤレコーダ１００は、少なくとも一部の機能が変更された印刷装置２００を検出することで、静止画像データの送信先を判断することができる。
【００７８】
Ｃ．変形例：
以上、本発明の種々の実施例について説明したが、本発明はこれらの実施例に限定されず、その趣旨を逸脱しない範囲で種々の構成を採ることができることはいうまでもない。例えば、ソフトウェアによって実現した機能は、ハードウェアによって実現するものとしてもよい。そのほか、以下のような変形が可能である。
【００７９】
（Ｃ１）変形例１：
上記実施例では、ＤＶＤレコーダ１００が、静止画像データを印刷装置２００に送信するものとした。これに対して、例えば、ＤＶＤの再生のみが可能なＤＶＤプレーヤが静止画像データを送信するものとしてもよい。このようなシステムであれば、例えば、パーソナルコンピュータ等によってＤＶＤ−Ｒに記録した動画像をＤＶＤプレーヤによって視聴した後に、そのＤＶＤ−Ｒを印刷装置２００にセットすれば、その録画内容を表す画像がＤＶＤ−Ｒに自動的に印刷されることになる。この場合、ＤＶＤプレーヤは、再生しているメディアがＤＶＤ−ＲＯＭ以外のＤＶＤメディアであり、そのレーベル面が白色である場合に、静止画像データを送信するものとすることができる。こうすることにより、既にレーベル面に印刷がなされたメディアへの誤印刷を防止することができる。
【００８０】
（Ｃ２）変形例２：
上記実施例では、ＤＬＮＡガイドラインに基づき、印刷システム１０を構成するものとした。これに対して、印刷システム１０は、ＤＬＮＡガイドラインに従わずに構成しても構わない。また、ＤＶＤレコーダ１００と印刷装置２００とは、ネットワーク１５０によって接続されるものとしたが、例えば、ＵＳＢやＩＥＥＥ１３９４、パラレルインタフェース等によって１対１に接続されるものとしてもよい。
【００８１】
（Ｃ３）変形例３：
上記実施例では、ＤＶＤメディアＤＭには、動画像データが記録されるものとした。これに対して、ＤＶＤレコーダ１００は、ＤＶＤメディアＤＭに、ユーザがデジタルカメラ等によって撮影した静止画像データを記録するものとしてもよい。ＤＶＤレコーダ１００は、こうしてＤＶＤメディアＤＭに記録された静止画像データの中から、所定数の静止画像データを記憶して印刷装置２００に送信する。印刷装置２００がこのような画像をＤＶＤメディアＤＭのレーベル面に印刷すれば、ユーザは、静止画像を記録したＤＶＤメディアＤＭを容易に管理することが可能になる。無論、この場合において、ＤＶＤメディアＤＭに代えて、ＣＤ−ＲやＣＤ−ＲＷに静止画像データを記録するものとしてもよい。
【００８２】
（Ｃ４）変形例４：
上記実施例では、印刷装置２００のネットワーク１５０への切断と再接続とがＤＶＤレコーダ１００によって検出された場合に、静止画像データが転送されるものとした。これに対して、印刷装置２００は、ＤＶＤメディアＤＭのセットを検出した場合に、はじめて、ネットワーク１５０への接続を行うものとしてもよい。つまり、印刷装置２００は、ＤＶＤメディアＤＭのレーベル面への印刷を行うときにだけ、ネットワーク１５０への接続を行うものとすることができる。このような構成では、ＤＶＤレコーダ１００は、印刷装置２００のネットワーク１５０への切断までは検出せず、接続を検出した場合に、静止画像データの転送を行う。このような構成であっても、ＤＶＤレコーダ１００は、静止画像データの送信先を容易に判別することができる。なお、この場合、印刷装置２００は、レーベル面への印刷が完了すると、印刷完了通知の送信後に、ネットワーク１５０への接続を切断するものとする。
【００８３】
（Ｃ５）変形例５：
上記実施例では、印刷装置２００は、静止画像データをＤＶＤメディアＤＭのレーベル面に印刷した後に、ＤＶＤレコーダ１００に印刷完了通知を送信するものとした。これに対して、印刷装置２００は、印刷が完了した後に、ネットワークへの切断と再接続とを行うものとし、この接続状態の変化が、印刷が完了したことを表すものとしてもよい。この場合、ＤＶＤレコーダ１００は、印刷装置２００のネットワークへの接続状態を監視することで、印刷が完了したか否かを判断することができる。ただし、上記第２実施例では、印刷成功時の接続状態の変化と、印刷失敗時の接続状態の変化とを区別する必要がある。そのため、印刷装置２００は、印刷成功時には、ネットワークへの再接続を１回行い、印刷失敗時には、所定の期間内に複数回行うものとすることができる。こうすることにより、ＤＶＤレコーダ１００は、印刷が成功したのか失敗したのかを適切に判断することができる。また、印刷装置２００は、印刷の成否に応じて、ネットワークへの再接続時にサポートする機能を変化させるものとしてもよい。この場合、ＤＶＤレコーダ１００は、印刷装置２００がネットワークに再接続された際にサポートしている機能の変化を検出することで、印刷が成功したのか失敗したのかを判断することが可能になる。
【図面の簡単な説明】
【００８４】
【図１】印刷システム１０の概略構成を示す説明図である。
【図２】ＤＶＤレコーダ１００の内部構成を示すブロック図である。
【図３】印刷装置２００の内部構成を示すブロック図である。
【図４】印刷処理のフローチャートである。
【図５】第２実施例における印刷処理のフローチャートである。
【符号の説明】
【００８５】
１０…印刷システム
１００…ＤＶＤレコーダ
１０２…チューナ
１０４…復調器
１０６…操作部
１１０…制御ユニット
１１１…再生制御部
１１２…録画制御部
１１３…静止画保存部
１１４…ＵＰｎＰ処理部
１１５…コントロールポイント
１１６…接続監視モジュール
１１７…画像転送モジュール
１１８…画像消去モジュール
１２０…表示制御回路
１２２…ＤＶＤドライブ
１２４…ハードディスクドライブ
１２６…ネットワークインタフェース
１５０…ネットワーク
２００…印刷装置
２００ａ…印刷装置
２００ｂ…印刷装置
２１０…ネットワークインタフェース
２２０…印刷機構
２２５…メディア検出部
２４０…制御ユニット
２４１…印刷制御部
２４２…接続処理部
２４３…ＵＰｎＰ処理部
２４４…画像受信モジュール
２４５…印刷完了通知モジュール
３００…モニタ
４００…ネットワークストレージ装置
５００…パーソナルコンピュータ
【図１】
2008198313.tif 000003
【図２】
2008198313.tif 000004
【図３】
2008198313.tif 000005
【図４】
2008198313.tif 000006
【図５】
2008198313.tif 000007